(57)【要約】【課題】  引出線を簡易に絶縁及び係止して製造コストの低減を図るだけでなく、ヨーク等に対してコイルを正確に位置決めして性能を高めた音響用電磁変換装置を得る。【解決手段】  コイル２６を巻き付けた形のボビン３０の中央部に磁歪素子２８が内蔵される。ボビン３０の一端側に金属材料で形成されたヨーク３６が隣り合って位置した形で、ボビン３０及びヨーク３６等がケース本体１２及びケース蓋部１４内に配置される。ヨーク３６及びケース蓋部１４の厚みを加え合わせた寸法Ｌ１より長い寸法Ｌ２を有した二つのガイド部３１、３２がボビン３０と一体的に成形される。ガイド部３１、３２がヨーク３６及びケース蓋部１４に設けられた穴部３６Ａ、１４Ａと嵌合しつつ、これらヨーク３６及びケース蓋部１４をそれぞれ貫通し、コイル２６の引出線２６Ａ、２６Ｂがガイド部３１、３２に案内されてケース蓋部１４外に引き出される。【選択図】  図１
2006101376.tif 000002
【特許請求の範囲】
【請求項１】
磁界を発生するためのコイルと、コイルを形成する線材が捲かれるボビンと、ボビンの中心に配置された磁歪素子と、ボビンの一端側に接して配置されたヨークと、これら部材を内蔵して保持するケース本体及びケース蓋部と、ケース蓋部に嵌合され且つ端子電極を有した端子板と、を有する音響用電磁変換装置であって、
ボビンの一端側を形成する鍔部に、ヨーク及びケース蓋部の厚みを加え合わせた寸法より長いガイド部を設け、
これらヨーク及びケース蓋部をガイド部が嵌合しつつ貫通すると共に、コイルの引出線がこのガイド部に案内されケース蓋部より外部に引き出されて端子板に導かれることを特徴とする音響用電磁変換装置。
【請求項２】
合成樹脂材料によりボビン及びガイド部が一体的に成形されることを特徴とする請求項１記載の音響用電磁変換装置。
【請求項３】
ガイド部が二つ存在し、これら二つのガイド部の横断面形状が相互に異なることを特徴とする請求項１或いは請求項２に記載の音響用電磁変換装置。
【請求項４】
ガイド部が二つ存在し、一方のガイド部の横断面形状を円形に形成し、他方のガイド部の横断面形状を半円形に形成したことを特徴とする請求項１或いは請求項２に記載の音響用電磁変換装置。
【請求項５】
電極端子を備えた端子板がケース蓋部に固定され、
形状が相互に異なる二つの逃げ部がそれぞれ二つのガイド部に対応してこの端子板に形成されることを特徴とする請求項３記載の音響用電磁変換装置。
【請求項６】
一方の逃げ部の横断面形状を円形に形成し、他方の逃げ部の横断面形状を半円形に形成したことを特徴とする請求項５記載の音響用電磁変換装置。
【請求項７】
ケース蓋部に第１係合部を形成すると共に端子板に第２係合部を形成し、これら第１係合部と第２係合部との間の係合により、ケース蓋部に対する端子板の位置決めをすることを特徴とする請求項１から請求項６の何れかに記載の音響用電磁変換装置。
【請求項８】
二つのガイド部に対応してボビンの鍔部に二つの貫通部が形成され、
これら二つの貫通部の形状が相互に異なることを特徴とする請求項３或いは請求項４に記載の音響用電磁変換装置。
【請求項９】
二つの貫通部の内の横断面形状が半円形に形成されたガイド部に対応する貫通部が、ボビンの鍔部の外周からこのガイド部までスリット状に形成されることを特徴とする請求項８記載の音響用電磁変換装置。
【発明の詳細な説明】
【技術分野】
【０００１】
本発明は、コイルの端部となる引出線を容易に絶縁及び係止して製造コストの低減を図るだけでなく、ヨーク等に対してコイルを正確に位置決めして性能を高めた音響用電磁変換装置に関し、特に磁歪素子を用いた音響用電磁変換装置に好適なものである。
【背景技術】
【０００２】
磁歪素子の伸縮により振動板を振動させて音を発生する音響用電磁変換装置が従来より知られているが、従来の音響用電磁変換装置は、例えば線材が巻き付けられたボビンに磁歪素子が挿入されているだけでなく、このボビンに隣り合って磁性体で構成されるヨークを配置し、さらに、この磁歪素子の周辺にバイアス磁石が配置された構造にもなっている。
【０００３】
また、この音響用電磁変換装置のコイルに電流を印加した場合、この電流に対応してコイルに磁界が発生し、これに伴い磁歪素子の磁歪量が変化してこの磁歪素子が伸縮することになる。そしてこの結果として、この磁歪素子の伸縮が外部振動板に伝達されて、この外部振動板が振動するようになっていた。
【０００４】
尚、従来の音響用電磁変換装置では、図６に示すようにボビン１１２に巻き付けられたコイル１１４の引出線１１４Ａ、１１４Ｂを絶縁や係止する為に、絶縁チューブやテープ等の保護材１１６をこれら引出線１１４Ａ、１１４Ｂの周囲に取り付ける形で、絶縁チューブ等が用いられていた。
【０００５】
一方、関係する文献として下記の特許文献が知られているが、特許文献１等は、ボビンの鍔部に切り欠きを設け、この切り欠きにコイルの端部である引出線を配線した構造が開示されているのみであった。さらに、特許文献４は、単にヨークを延長して基板取付け部を形成した構造が開示されたのみであった。
【特許文献１】特開２００２−８０１７２号公報
【特許文献２】実開平７−３６４０９号
【特許文献３】特開２００３−２９７６２６号公報
【特許文献４】特公平６−８７４４２号公報
【発明の開示】
【発明が解決しようとする課題】
【０００６】
しかし、この磁歪素子の伸縮量は、コイル、バイアス磁石及びヨークの相互間の位置関係や、このヨークの形状等によつて、著しく変化する。この為、コイル、バイアス磁石及びヨークの形状を軸対称の形状とするのが好ましく、さらに、これら部材の相互間を同軸状に配置することで、磁歪素子の伸縮量が安定化して性能が高められるが、従来の音響用電磁変換装置では正確に位置決めして同軸状に配置するのは困難であった。
【０００７】
この一方、コイルの引出線がヨーク等の金属部材に接触することに起因する問題を解決すべく、絶縁チューブやテープを使用して引出線の絶縁や係止をしている為、従来は組立性が低く、製造コストの低減が困難であった。
本発明は上記事実を考慮し、コイルの端部となる引出線を簡易に絶縁及び係止して製造コストの低減を図るだけでなく、ヨーク等に対してコイルを正確に位置決めして性能を高め得る音響用電磁変換装置を提供することを目的とする。
【課題を解決するための手段】
【０００８】
請求項１による音響用電磁変換装置は、磁界を発生するためのコイルと、コイルを形成する線材が捲かれるボビンと、ボビンの中心に配置された磁歪素子と、ボビンの一端側に接して配置されたヨークと、これら部材を内蔵して保持するケース本体及びケース蓋部と、ケース蓋部に嵌合され且つ端子電極を有した端子板と、を有する音響用電磁変換装置であって、
ボビンの一端側を形成する鍔部に、ヨーク及びケース蓋部の厚みを加え合わせた寸法より長いガイド部を設け、
これらヨーク及びケース蓋部をガイド部が嵌合しつつ貫通すると共に、コイルの引出線がこのガイド部に案内されケース蓋部より外部に引き出されて端子板に導かれることを特徴とする。
【０００９】
請求項１に係る音響用電磁変換装置の作用を以下に説明する。
本請求項の音響用電磁変換装置によれば、磁界を発生するためのコイルを形成する線材がボビンに捲かれ、このボビンの中心に磁歪素子が配置されると共に、このボビンの一端側に接してヨークが配置されている。そして、これら部材をケース本体及びケース蓋部が内蔵して保持し、端子電極を有した端子板がこのケース蓋部に嵌合された構造とされている。
【００１０】
また、ヨーク及びケース蓋部の厚みを加え合わせた寸法より長いガイド部がボビンの一端側を形成する鍔部に設けられていて、これらヨーク及びケース蓋部をこのガイド部が嵌合しつつ貫通した構造とされるのに伴い、コイルの引出線がこのガイド部に案内されケース蓋部外に引き出されて、端子板に導かれている。
【００１１】
つまり、ヨークと対向することになるボビンの一端側にガイド部を形成し、このガイド部に沿ってコイルの引出線を配置することで、ヨークやケース蓋部等の導電性金属材とこの引出線とを簡易で確実に隔離して絶縁できると共に引出線を係止できるようになり、従来使用していた絶縁チューブやテープを用いなくともよくなった。
【００１２】
さらに、上記のようにボビンに形成されたガイド部とヨークやケース蓋部とを嵌合させるような構造としたことで、ヨーク及びケース蓋部に対するボビンに線材が巻き付けられたコイルの正確な位置決めが可能となった。この結果として、コイルの中心がヨークの対向面の中心に正確に位置するようにコイルを設置でき、コイルに電流を印加した場合、コイルにより発生する磁界が均一で安定的に磁歪素子に加わって、磁歪素子の伸縮量が安定化する。
【００１３】
以上より、本請求項の音響用電磁変換装置によれば、コイルの端部となる引出線を簡易に絶縁及び係止するのに伴い、構造が単純化されて組立性が向上して製造コストの低減や小型化を図ることができるだけでなく、ヨーク等に対してコイルを正確に位置決めして性能を高めることが可能となった。
【００１４】
請求項２に係る音響用電磁変換装置の作用を以下に説明する。
本請求項によれば請求項１と同様の構成の他に、合成樹脂材料によりボビン及びガイド部が一体的に成形されるという構成を有している。従って、本請求項によれば、ボビンにガイド部が合成樹脂材料により一体的に成形されることで、請求項１と同様の作用を奏するだけでなく、ガイド部を製造する際の製造コストも低減されると共に、ボビンに対してより正確にガイド部を配置することが可能となった。
【００１５】
請求項３に係る音響用電磁変換装置の作用を以下に説明する。
本請求項によれば請求項１及び請求項２と同様の構成の他に、ガイド部が二つ存在し、これら二つのガイド部の横断面形状が相互に異なるという構成を有している。
【００１６】
従って、本請求項によれば、二つのガイド部の横断面形状を相互に異ならせて、一方のガイド部に巻き始め側の引出線を配置し、他方のガイド部に巻き終わり側の引出線を配置することにより、巻き始め側の引出線及び巻き終わり側の引出線を常時一定のガイド部にそれぞれ配置できるようになった。この結果、請求項１と同様の作用を奏するだけでなく、組立て時におけるコイルの引出線の極性誤挿入の問題も解決されるようになった。
【００１７】
請求項４に係る音響用電磁変換装置の作用を以下に説明する。
本請求項によれば請求項１及び請求項２と同様の構成の他に、ガイド部が二つ存在し、一方のガイド部の横断面形状を円形に形成し、他方のガイド部の横断面形状を半円形に形成したという構成を有している。
【００１８】
従って、本請求項によれば、二つのガイド部の横断面形状を相互に単に異ならせるだけでなく、一方の横断面形状を円形とすると共に、他方の横断面形状を半円形とした。このことで請求項３と同様に、巻き始め側の引出線及び巻き終わり側の引出線を常時一定のガイド部にそれぞれ配置でき、組立て時におけるコイルの引出線の極性誤挿入の問題が解決されるようになった。
【００１９】
請求項５に係る音響用電磁変換装置の作用を以下に説明する。
本請求項によれば請求項３と同様の構成の他に、電極端子を備えた端子板がケース蓋部に固定され、形状が相互に異なる二つの逃げ部がそれぞれ二つのガイド部に対応してこの端子板に形成されるという構成を有している。
【００２０】
従って、本請求項によれば、例えば一方のガイド部の形状に合わせた形状に端子板の一方の逃げ部を形成し、また他方のガイド部の形状に合わせた形状に端子板の他方の逃げ部を形成することに依り、組立て時のケース蓋部に対する端子板の誤挿入防止が図られて、端子板におけるコイルの巻き始め側の引出線の配置と巻き終わり側の引出線の配置とが、常時一定となる。
【００２１】
請求項６に係る音響用電磁変換装置の作用を以下に説明する。
本請求項によれば請求項５と同様の構成の他に、一方の逃げ部の横断面形状を円形に形成し、他方の逃げ部の横断面形状を半円形に形成したという構成を有している。
【００２２】
従って、本請求項によれば、例えば一方のガイド部の横断面形状を円形として巻き始め側の引出線を配置し、他方のガイド部の横断面形状を半円形として巻き終わり側の引出線を配置し、これに伴って一方の逃げ部の横断面形状を円形に形成し、他方の逃げ部の横断面形状を半円形に形成することで、組立て時のケース蓋部に対する端子板の誤挿入防止が一層確実に図られるようになった。
【００２３】
請求項７に係る音響用電磁変換装置の作用を以下に説明する。
本請求項によれば、請求項１から請求項６と同様の構成の他に、ケース蓋部に第１係合部を形成すると共に端子板に第２係合部を形成し、これら第１係合部と第２係合部との間の係合により、ケース蓋部に対する端子板の位置決めをするという構成を有している。
【００２４】
従って、本請求項によれば、第１係合部と第２係合部との間の係合によって、ケース蓋部に対して端子板が確実に位置決めされると共に、組立時における作業性が向上することになった。
【００２５】
請求項８に係る音響用電磁変換装置の作用を以下に説明する。
本請求項によれば請求項３及び請求項４と同様の構成の他に、二つのガイド部に対応してボビンの鍔部に二つの貫通部が形成され、これら二つの貫通部の形状が相互に異なるという構成を有している。
【００２６】
従って、本請求項によれば、相互に形状が異なる二つの貫通部が二つのガイド部に対応してボビンの鍔部に形成されたことで、組立て時においてコイルの引出線がこれら形状の異なる二つの貫通部により誤挿入されることがなくなり、ガイド部に確実に導かれるようになった。
【００２７】
請求項９に係る音響用電磁変換装置の作用を以下に説明する。
本請求項によれば請求項８と同様の構成の他に、二つの貫通部の内の横断面形状が半円形に形成されたガイド部に対応する貫通部が、ボビンの鍔部の外周からこのガイド部までスリット状に形成されるという構成を有している。
【００２８】
従って、本請求項によれば、横断面形状を半円形としたガイド部に対応した貫通部が、スリット状に形成されたことで、組立て時においてコイルの引出線をより容易にこのガイド部に導けるようになった。
【発明の効果】
【００２９】
本発明によれば、コイルの端部となる引出線を簡易に絶縁及び係止して製造コストの低減を図るだけでなく、ヨーク等に対してコイルを正確に位置決めして性能を高めた音響用電磁変換装置が得られることになる。
【発明を実施するための最良の形態】
【００３０】
以下、本発明に係る音響用電磁変換装置の一実施の形態を図１から図５に示し、これらの図面に基づきこの一実施の形態を説明する。
図１に示すように、本実施の形態が適用された音響用電磁変換装置１０の外隔となる非磁性材の収納用部材が、円筒状に形成されたケース本体１２及びこのケース本体１２の左端を塞ぐようにボルト１６によりネジ止められたケース蓋部１４により、構成されており、これらケース本体１２及びケース蓋部１４で構成される収納用部材の内部に空間を有した構造になっている。
【００３１】
このケース本体１２は、円柱状の空間を内部に有すると共に底部となる左端部に貫通穴１２Ａを有しており、このケース本体１２の貫通穴１２Ａから先端側が突出した形で伸縮伝達ロッド１８が、このケース本体１２の左端側に配置されている。この伸縮伝達ロッド１８の先端側には雄ねじが形成されていて、図示しない振動板がねじ止められて連結されるようになっている。
【００３２】
一方、この伸縮伝達ロッド１８の基端側にはフランジ部１８Ａが形成されており、またこのフランジ部１８Ａとケース本体１２の底部との間には、ゴム材等によって形成された弾性体２２が配置されていて、伸縮伝達ロッド１８を図１における右側にこの弾性体２２が常時押圧した構造になっている。
【００３３】
この伸縮伝達ロッド１８の図１における右端側には上部ヨーク２４が嵌合されており、この上部ヨーク２４の更に右側には、両端側に鍔部３０Ａを有し且つ線材を巻き付けたボビン３０が配置されていて、このコイル２６の外周側に円管状のバイアス磁石３４が配置されている。そして、棒状に形成された磁歪素子２８が、このボビン３０の中央部に伸縮可能に内蔵されており、この磁歪素子２８の図１における左端側が上部ヨーク２４に当接している。また、ボビン３０の図１における右側には、鉄等の磁性材料で円盤状に形成されたヨーク３６が配置されており、磁歪素子２８の右端側がこのヨーク３６に当接した構造になっている。
【００３４】
以上より、本実施の形態では、このボビン３０の一端側である図１における右端側にヨーク３６が隣り合って位置した形で、これら弾性体２２、磁歪素子２８、バイアス磁石３４、ボビン３０及びヨーク３６等が収納用部材内に配置されていることになる。
【００３５】
このボビン３０の一端側を構成する鍔部３０Ａには、図１に示すように、ヨーク３６及びケース蓋部１４の厚みを加え合わせた寸法Ｌ１よりそれぞれ長い寸法Ｌ２を有した二つのガイド部３１、３２が、合成樹脂材料によりボビン３０と一体的に成形されている。
【００３６】
従って、二つのガイド部３１、３２は、磁歪素子２８が延びる方向に沿ってそれぞれ延びて、これら二つのガイド部３１、３２がヨーク３６及びケース蓋部１４に設けられた穴部３６Ａ、１４Ａと嵌合しつつ、これらヨーク３６及びケース蓋部１４をそれぞれ貫通している。これに伴って、コイル２６の巻き始め側の引出線２６Ａと巻き終わり側の引出線２６Ｂがこれらのガイド部３１、３２にそれぞれ案内されてケース蓋部１４外に引き出された構造になっている。
【００３７】
但し、図４及び図５に示すように、これら二つのガイド部３１、３２の内の一方のガイド部３１は円管状とされるのに伴い横断面形状が円形に形成されており、また、他方のガイド部３２は半円管状とされるのに伴い横断面形状が半円形に形成されていて、これら二つのガイド部３１、３２の横断面形状が相互に異なっている。
【００３８】
このヨーク３６及びケース蓋部１４の図１における右側には、二つの電極端子４２を備えた端子板４０がボルト４４によって締結されることで、ケース蓋部１４に固定されており、また、端子板４０を貫通した引出線２６Ａ、２６Ｂがこれら電極端子４２にそれぞれからげられている。
【００３９】
この際、図２及び図３に示すように、ケース蓋部１４には第１係合部となる凸部４６が形成されており、また端子板４０には第２係合部となる凹部４８が形成されていて、これら凸部４６と凹部４８との間の係合により、ケース蓋部１４に対する端子板４０の回転方向の位置決めがされている。
【００４０】
そして、この端子板４０には、ケース蓋部１４を貫通して突出している二つのガイド部３１、３２に対応して、それぞれ凹状の二つの逃げ部４０Ａ、４０Ｂが形成されているが、図２及び図３に示すように、これら二つのガイド部３１、３２の形状に合わせて一方の逃げ部４０Ａの横断面形状が円形に形成され、他方の逃げ部４０Ｂの横断面形状が半円形に形成された形で、これら二つの逃げ部４０Ａ、４０Ｂの形状が相互に異なっている。
【００４１】
次に、本実施の形態に係る音響用電磁変換装置１０の作用を説明する。
本実施の形態の音響用電磁変換装置１０によれば、磁界を発生するためのコイル２６を形成する線材がボビン３０に捲かれ、このボビン３０の中心に磁歪素子２８が配置されると共に、このボビン３０の一端側に接してヨーク３６が配置されている。そして、これら部材をケース本体１２及びケース蓋部１４が内蔵して保持し、端子電極４２を有した端子板４０がこのケース蓋部１４に嵌合された構造とされている。
【００４２】
また、ヨーク３６及びケース蓋部１４の厚みを加え合わせた寸法Ｌ１よりそれぞれ長い寸法Ｌ２を有した二つのガイド部３１、３２がボビン３０の一端側の鍔部３０Ａに合成樹脂材料により一体的に成形されていて、これらヨーク３６及びケース蓋部１４をこれらのガイド部３１、３２が嵌合しつつ貫通した構造とされるのに伴い、コイル２６の引出線２６Ａ、２６Ｂがこれらのガイド部３１、３２に案内されケース蓋部１４外に引き出されて、端子板４０に導かれている。
【００４３】
つまり、ヨーク３６と対向することになるボビン３０の一端側に二つのガイド部３１、３２を形成し、これらのガイド部３１、３２に沿ってコイル２６の引出線２６Ａ、２６Ｂを配置することで、ヨーク３６やケース蓋部１４等の導電性金属材とこの引出線２６Ａ、２６Ｂとを簡易で確実に隔離して絶縁できると共に引出線２６Ａ、２６Ｂを係止できるようになり、従来使用していた絶縁チューブやテープを用いなくともよくなった。
【００４４】
さらに、上記のようにボビン３０に形成されたガイド部３１、３２とヨーク３６やケース蓋部１４とを嵌合させるような構造としたことで、ヨーク３６及びケース蓋部１４に対するボビン３０に巻き付けられたコイル２６の正確な位置決めが可能となった。この結果として、コイル２６の中心がヨーク３６の対向面の中心に正確に位置するようにコイル２６を設置でき、コイル２６に電流を印加した場合、コイル２６により発生する磁界が均一で安定的に磁歪素子２８に加わって、磁歪素子２８の伸縮量が安定化する。
【００４５】
以上より、本実施の形態の音響用電磁変換装置１０によれば、コイル２６の端部となる引出線２６Ａ、２６Ｂを簡易に絶縁及び係止するのに伴い、構造が単純化されて組立性が向上して製造コストの低減や小型化を図ることができるだけでなく、ヨーク３６等に対してコイル２６を正確に位置決めして性能を高めることが可能となった。
【００４６】
また、本実施の形態によれば、ボビン３０及び二つのガイド部３１、３２が合成樹脂材料により一体的に成形されることで、これらガイド部３１、３２を製造する際の製造コストも低減されると共に、ボビン３０に対してより正確にこれらガイド部３１、３２を配置することが可能となった。
【００４７】
一方、本実施の形態では、ガイド部が二つ存在し、これら二つのガイド部３１、３２の横断面形状が相互に異なっているだけでなく、電極端子４２を備えた端子板４０にも、形状が相互に異なる二つの逃げ部４０Ａ、４０Ｂがそれぞれ二つのガイド部３１、３２に対応して、形成されている。
【００４８】
従って、本実施の形態によれば、二つのガイド部３１、３２の横断面形状を相互に異ならせて、横断面形状を円形とした一方のガイド部３１に巻き始め側の引出線２６Ａを配置し、横断面形状を半円形とした他方のガイド部３２に巻き終わり側の引出線２６Ｂを配置することにより、巻き始め側の引出線２６Ａ及び巻き終わり側の引出線２６Ｂを常時一定のガイド部３１、３２にそれぞれ配置できるようになった。この結果、組立て時におけるコイル２６の引出線２６Ａ、２６Ｂの極性誤挿入の問題も解決されるようになった。
【００４９】
尚この際、図５に示すように、二つのガイド部３１、３２に対応してボビン３０の鍔部３０Ａに、二つの貫通部３０Ｂ、３０Ｃがそれぞれ形成されている。但し、これら二つの貫通部３０Ｂ、３０Ｃの形状が相互に異なっていて、横断面形状が円形に形成されたガイド部３１に対応する貫通部３０Ｂは円形とされるものの、横断面形状が半円形に形成されたガイド部３２に対応する貫通部３０Ｃは、ボビン３０の鍔部３０Ａの外周からこのガイド部３２まで伸びるスリット状に形成されている。
【００５０】
従って、本実施の形態によれば、相互に形状が異なる二つの貫通部３０Ｂ、３０Ｃが二つのガイド部３１、３２に対応してボビン３０の鍔部３０Ａに形成されたことで、組立て時においてコイル２６の引出線２６Ａ、２６Ｂがこれら形状の異なる二つの貫通部３０Ｂ、３０Ｃにより誤挿入されることがなくなり、ガイド部３１、３２に確実に導かれるようになった。
【００５１】
また、横断面形状を半円形としたガイド部３２に対応した貫通部３０Ｃが、スリット状に形成されたことで、組立て時においてコイル２６の引出線２６Ｂをより容易にこのガイド部３２に導けるようにもなった。
【００５２】
さらに、一方のガイド部３１の形状に合わせて端子板４０の一方の逃げ部４０Ａの横断面形状を円形に形成し、また他方のガイド部３２の形状に合わせて端子板４０の他方の逃げ部４０Ｂの横断面形状を半円形に形成することに依り、組立て時のケース蓋部１４に対する端子板４０の誤挿入防止が図られて、端子板４０におけるコイル２６の巻き始め側の引出線２６Ａの配置と巻き終わり側の引出線２６Ｂの配置とが常時一定となった。
【００５３】
他方、本実施の形態では、ケース蓋部１４に第１係合部である凸部４６を形成すると共に端子板４０に第２係合部である凹部４８を形成し、これら凸部４６と凹部４８との間の係合により、ケース蓋部１４に対する端子板４０の位置決めをしている。従って、本実施の形態によれば、これら凸部４６と凹部４８との間の係合によって、ケース蓋部１４に対して端子板４０が確実に位置決めされると共に、組立時における作業性が向上することになった。
【００５４】
尚、上記実施の形態において、ボビン３０の二つのガイド部３１、３２の内の一方のガイド部３１の横断面形状を円形とし、他方のガイド部３２の横断面形状を半円形とし、これに合わせて端子板４０の一方の逃げ部４０Ａの横断面形状を円形にし、他方の逃げ部４０Ｂの横断面形状を半円形とする形で、二つのガイド部３１、３２相互間の横断面形状及び、二つの逃げ部４０Ａ、４０Ｂ相互間の横断面形状を相互に異ならせたが、これらの形状を他の形状、例えば三角形や四角形等の多角形の横断面形状としても良い。
【００５５】
さらに、ボビン３０及びガイド部３１、３２は、合成樹脂等の高分子材料により形成されるが、具体的に例えば液晶ポリマーやＰＰＳ（ポリフェニレンサルファイド）樹脂等を用いることが考えられる。一方、上記実施の形態において、ケース蓋部１４の第１係合部を凸部とし、端子板４０の第２係合部を凹部としたが、凸部と凹部とを逆に形成しても良い。
【図面の簡単な説明】
【００５６】
【図１】本発明の一実施の形態に係る音響用電磁変換装置の断面図である。
【図２】図１の２−２矢視線図（引出線は省略した）である。
【図３】本発明の一実施の形態に係る音響用電磁変換装置の要部分解斜視図である。
【図４】本発明の一実施の形態に係る音響用電磁変換装置に適用されるボビンの斜視図である。
【図５】図４の５−５矢視線断面図である。
【図６】従来技術に係る音響用電磁変換装置に適用されるボビンの斜視図である。
【符号の説明】
【００５７】
１０    音響用電磁変換装置
１２    ケース本体
１４    ケース蓋部
２６    コイル
２８    磁歪素子
３０    ボビン
３０Ａ  鍔部
３０Ｂ  貫通部
３０Ｃ  貫通部
３１    ガイド部
３２    ガイド部
３６    ヨーク
４０    端子板
４０Ａ  逃げ部
４０Ｂ  逃げ部
４２    電極端子
４６    凸部（第１係合部）
４８    凹部（第２係合部）
【図１】
2006101376.tif 000003
【図２】
2006101376.tif 000004
【図３】
2006101376.tif 000005
【図４】
2006101376.tif 000006
【図５】
2006101376.tif 000007
【図６】
2006101376.tif 000008